(57)【要約】【課題】  家具の抽斗の前板の操作時に不快な衝撃騒音が生じないようにした抽斗前板用の安定化装置を提供する。【解決手段】  家具部材（４，５）用の、特に、抽斗底板に組み付けられて、組付け状態において相互可動性を有する抽斗前板用の安定化装置（１）であって、安定化装置（１）は第一の家具部材（４）に固定するための少なくとも１箇所の第一の組付け箇所（２，２’）と第二の家具部材（５）に固定するための少なくとも１箇所の第二の組付け箇所（３，３’）とを有し、第一と第二の組付け箇所（２，２’；  ３，３’）の間に少なくとも１個の可撓性の中間部材（６）が配置されている。【選択図】  図３
2006102511.tif 000002
【特許請求の範囲】
【請求項１】
家具部材用の抽斗底板に組み付けられて、組付け状態において相互可動性を有する抽斗前板用の安定化装置であって、
安定化装置（１）は第一の家具部材（４）に固定するための少なくとも１箇所の第一の組付け箇所（２，２’）と第二の家具部材（５）に固定するための少なくとも１箇所の第二の組付け箇所（３，３’）とを有し、第一と第二の組付け箇所（２，２’；３，３’）の間に少なくとも１個の可撓性の中間部材（６）が配置されていることを特徴とする抽斗前板用の安定化装置。
【請求項２】
請求項１において、
中間部材（６）は第一と第二の組付け箇所（２，２’；３，３’）の間に想定された連結線（１３）の方向（Ｚ）に引張強さを有するように形成されていることを特徴とする抽斗前板用の安定化装置。
【請求項３】
請求項１または２において、
第一と第二の組付け箇所（２，２’；３，３’）は第一と第二の組付け箇所（２，２’；３，３’）の間に想定された連結線（１３）の方向（Ｚ）に対して直角をなす少なくとも１方向（Ｘ，Ｙ）に相互相対可動性を有することを特徴とする抽斗前板用の安定化装置。
【請求項４】
請求項１から３までのいずれか１項において、
可撓性の中間部材（６）は少なくとも１本の索条片からなることを特徴とする抽斗前板用の安定化装置。
【請求項５】
請求項１から３までのいずれか１項において、
可撓性の中間部材（６）は少なくとも１本の可撓性ロッドからなることを特徴とする抽斗前板用の安定化装置。
【請求項６】
請求項１から３までのいずれか１項において、
可撓性の中間部材（６）は２枚または複数枚の、好ましくは離間して互いに平行に配置された、柔軟な薄板（１２）からなることを特徴とする抽斗前板用の安定化装置。
【請求項７】
請求項１から６までのいずれか１項において、
少なくとも１箇所の組付け箇所（３，３’）に、家具部材（４，５）の孔（１５，１５’）に嵌挿される、好ましくはねじ（８’）が予備組付けされた、伸縮性止め具が配置されていることを特徴とする抽斗前板用の安定化装置。
【請求項８】
請求項１から７までのいずれか１項において、
少なくとも１箇所の組付け箇所（２，２’）は家具部材（４，５）に螺入されるねじ（８）が挿し込まれる貫通孔として形成されていることを特徴とする抽斗前板用の安定化装置。
【請求項９】
請求項１から８までのいずれか１項において、
可撓性の中間部材（６）のそれぞれの側に少なくとも２箇所の組付け箇所（２，２’；３，３’）が設けられていることを特徴とする抽斗前板用の安定化装置。
【請求項１０】
請求項１から９までのいずれか１項において、
場合によって予備組付けされるねじ（８，８’）を除外して、一体に形成されていることを特徴とする抽斗前板用の安定化装置。
【請求項１１】
請求項１から１０までのいずれか１項において、
予備組付けされるねじ（８，８’）を除外して、プラスチックからなることを特徴とする抽斗前板用の安定化装置。
【請求項１２】
少なくとも２枚の家具部材、特に抽斗底板と前板とを有する家具であって、
該家具部材は請求項１から１１までのいずれか１項に記載の安定化装置（１）と結合されていることを特徴とする家具。
【請求項１３】
少なくとも２枚の家具部材、特に、少なくとも１個の結合装置で互いに結合された抽斗底板と前板とを有し、該結合装置は双方の家具部材の相互相対運動を可能にする家具であって、
結合装置（１６）に加えてさらに、請求項１から１１までのいずれか１項に記載の安定化装置（１）を有することを特徴とする家具。
【請求項１４】
２枚の側壁と、１枚の抽斗底板と、１枚の前板とを有し、該前板は変位し得るようにして前記側壁に支持されている抽斗であって、
請求項１から１１までのいずれか１項に記載の安定化装置（１）は一方で前板（５）に、他方で抽斗底板（４）に固定されていることを特徴とする抽斗。
【発明の詳細な説明】
【技術分野】
【０００１】
本発明は、家具部材用の、特に、抽斗底板に組み付けられて、組付け状態において相互可動性を有する抽斗前板用の安定化装置に関する。
【０００２】
さらに本発明は、少なくとも２枚の家具部材、特に抽斗底板と抽斗前板とを有する家具に関する。さらに本発明は、前記家具部材が少なくとも１個の結合装置で互いに結合されており、該結合装置は該家具部材の相互相対運動を可能にする、前述した類の家具に関する。
【０００３】
上記に加えてさらに本発明は、２枚の側板、１枚の抽斗底板および１枚の抽斗前板を有し、該抽斗前板は変位し得るようにして該側板に支持されている抽斗に関する。
【背景技術】
【０００４】
側板ないし抽斗底板に対する抽斗前板の可動性を実現するため、抽斗前板は、そのために設けられて、通常、抽斗側板の内部に配置された保持／変位装置によって保持される。かくて、この変位装置により、前板を必要に応じて、抽斗側板に対して上下方向、左右方向および／または斜め方向に変位させることができる。これにより、たとえば隣接する前板に対する隙間を均等な幅に設定するかまたは家具本体に対して前板を正しく整合させることができる。
【発明の開示】
【発明が解決しようとする課題】
【０００５】
これは、前板が抽斗底板にねじ止めされて不動化されていてはならず、両者の結合は抽斗底板に対する前板の相対運動を許容しなければならないことを意味している。こうした事実は、特に前板の高さまたは面積が大きければ、前板の不安定な挙動を招来し、その結果、前板の操作時に不快な衝撃騒音が生ずることとなる。こうした不安定性はさらに、保持・変位装置にかかる荷重を高めることになり、抽斗の正確な案内を損なうという短所を生ずる。
【０００６】
そこで本発明の目的は、上述した短所を回避することのできる冒頭に述べた類の安定化装置を提案することである。
【課題を解決するための手段】
【０００７】
前記課題は本発明により、安定化装置が第一の家具部材に固定するための少なくとも１箇所の第一の組付け箇所と第二の家具部材に固定するための少なくとも１箇所の第二の組付け箇所とを有し、第一と第二の組付け箇所の間に少なくとも１個の可撓性の中間部材が配置されることによって達成される。
【０００８】
中間部材は第一と第二の組付け箇所の間に想定された連結線の方向（Ｚ）に引張強さを有するように形成されているのが有利である。双方の組付け箇所相互間の所定の軸方向間隔により、抽斗底板に対する前板の運動に抵抗が及ぼされ、これによって有利な安定化が達成される。この場合、第一と第二の組付け箇所は第一と第二の組付け箇所の間に想定された連結線の方向（Ｚ）に対して直角をなす少なくとも１方向（Ｘ，Ｙ）に相互相対可動性を有するように構成することができる。
【０００９】
構造的仕様については、可撓性の中間部材は少なくとも１本の索条からなるのが有利である。可撓性の中間部材は、別法もしくは補完的に、少なくとも１本のロッドからなっていてもよい。好ましい実施形態において、有利には、可撓性の中間部材は２枚または複数枚の、好ましくは離間して互いに平行に配置された、柔軟な薄板からなっている。
【００１０】
本発明による家具は、少なくとも２枚の家具部材、特に抽斗底板と抽斗前板とを有し、両部材は前述した類の安定化装置と結合されていることを特徴としている。
【００１１】
本発明による家具のさらに別の実施形態は、少なくとも２枚の家具部材、特に、抽斗底板と抽斗前板とを有し、両部材は少なくとも１個の結合装置で互いに結合されており、該結合装置は両家具部材の相互相対運動を可能にし、さらに該結合装置に加えて、前述した類の安定化装置が設けられていることを特徴としている。
【００１２】
本発明による抽斗は、２枚の側壁と、１枚の抽斗底板と、１枚の前板とを有し、前板は変位し得るようにして側壁に支持され、上述した類の安定化装置は一方で前板に固定され、他方で底板に固定されていることを特徴としている。
【発明の効果】
【００１３】
したがって、本発明による安定化装置は一方で抽斗底板に、他方で抽斗前板に組み付けられて、可撓性の中間部材によってこれら双方の家具部材の相互相対運動を可能にする。可撓性の中間部材を形成することにより、双方の家具部材相互の補助的な安定化が可能となる。
【発明を実施するための最良の形態】
【００１４】
以下、本発明のその他の詳細ならびに利点を、図面を参照しつつ各図の説明によって詳細に説明する。
【００１５】
図１ａ〜１ｃは安定化装置１の１実施例の透視図を示したものである。抽斗前板用の安定化装置１は、不図示の２枚の家具部材４，５、特に抽斗底板と該底板に対して可動式に支持された前板とにそれぞれ固定するために設けられた２箇所の固定箇所２，３を有している。双方の固定箇所２，３の長手軸は互いに直角をなして配置されている。双方の固定箇所２，３の間には、双方の固定箇所２，３の相互可動性を実現する可撓性の中間部材６が形成されている。中間部材６の両末端には、図１ａの詳細図Ｄ１とＤ２から看取されるように、先細りした連結部７，７’が設けられている。これらの先細りした連結部７，７’により、固定箇所２，３間に想定された連結線に対する安定化装置１の横方向ないし垂直方向の可動性が改善される。
【００１６】
図１ｂは安定化装置１を、螺入される前の留めねじ８，８’とともに示したものである。組付け箇所２は家具部材４に螺入されるねじ８が挿し込まれる貫通孔として形成されている。第二の固定箇所３の領域にはねじ８’を案内するための樋状の溝９が設けられている。固定箇所２は、家具部材５の孔、好ましくは前板の孔に嵌挿される伸縮性止め具として形成されている。固定を改善するため、伸縮性止め具の外周面にはリブおよび／または歯形を設けることができる。図１ｃはねじ８，８’が挿し込まれた安定化装置１を示している。この場合、家具部材４，５への安定化装置の固定を容易にするため、ねじ８’はすでに伸縮性止め具に予備組付けされていてよい。
【００１７】
図２は２枚の家具部材４，５、本例にあっては、抽斗底板４と該底板に対して垂直に直立する前板５との垂直断面を示したものである。双方の家具部材４，５は好ましくは、不図示の、抽斗底板４に対する前板５の相対運動を可能にする結合装置で結合されている。この場合有利には、前述した結合装置に加えてさらに、双方の家具部材４，５が同時に相互可動性を有する際にそれら部材の安定性の改善を実現する安定化装置１が設けられていてよい。この場合、固定箇所１として形成された伸縮性止め具は前板５の孔に嵌挿されて、ねじ８’によって拡開され、他方、固定箇所２として形成された貫通孔は抽斗底板に螺着されるチップボードねじ２を収容するために設けられている。可撓状で形成された中間部材６はそれが軸方向に引っ張り強さを有するように形成されていると同時に垂直方向と横方向とに可動性を有することにより双方の家具部材４，５の好適な相互安定化を実現する。
【００１８】
図３は安定化装置１のさらに別の実施例を下側から眺めた図を示したものである。抽斗前板用の安定化装置１は一方で抽斗底板４の下側面に組み付けられ、他方で前板５の内側面に組み付けられており、同図において符号１０は家具側壁を表している。ここに示した図において、可撓性の中間部材６のそれぞれの側には２箇所の組付け箇所２，２’ならびに３，３’が設けられている。組付け箇所２，２’は抽斗底板４に螺着されるねじが挿し込まれる貫通孔として形成されている。前板５の当該孔には伸縮性止め具として形成された組付け箇所３，３’が嵌挿されて、ねじによって該孔に係着される。安定化装置１は予備組付けされるねじを除外して一体に形成されており、好ましくはプラスチックからなっている。可撓性の中間部材６は、同図１６において、短冊穴状の開口部１１によって互いに分離されて離間した、相互に平行で、可撓性を有する２枚または複数枚の薄板１２を有している。好適な可動性を達成するため、短冊穴状の開口部１１の幅は薄板１２の幅の２倍以上であるかまたは２倍に等しくてよい。可撓性の中間部材６は第一の組付け箇所２と第二の組付け箇所３との間に想定された連結線１３の方向Ｚに引張強さを有するように形成されている。第一の組付け箇所２，２’と第二の組付け箇所３，３’とは第一の組付け箇所２，２’と第二の組付け箇所３，３’との間に想定された連結線１３の方向Ｚに対して直角をなす少なくとも１方向Ｘ，Ｙに可動性を有しているのが好適である。
【００１９】
図４は横方向に変位したポジションにある図３の安定化装置１を示しており、つまり、固定箇所３，３’は固定箇所２，２’ないし抽斗底板４に対して距離変化ΔＸ分だけ変位している。前板５の変位に対するこうした適応は可撓性の中間部材６によって可能であり、この場合、距離変化ΔＸは短冊穴状の開口部１１の幅によって左右される。
【００２０】
図５は抽斗底板４を該底板に対して垂直に直立する前板５と共に下側から眺めた図を示したものである。双方の家具部材４，５は側板１４内に設けられた詳細不図示の、ただし組付け状態において双方の家具部材４，５の一定の相互可動性を実現する結合装置を介して互いに結合されている。たとえば、前板５の高さ調節は側板１４内に設けられた偏心輪によって行うことができる。前板が高い場合には、安定化装置１を使用しなければ、てこ作用が生ずることによって不安定性が招来される。したがって、図５と拡大詳細図Ｄ３に示したように、本発明による安定化装置１は伸縮性止め具として形成された固定箇所３，３’で前板５に設けられた当該孔１５，１５’に固定される。固定箇所２，２’はねじ８で抽斗底板４の下側面に螺着される。
【００２１】
複数の安定化装置１を抽斗底板４と前板５との間の辺縁に沿って取り付けることが可能であることは言うまでもない。
【００２２】
図６は抽斗１７を下側から眺めた部分図を示したものである。前板５は側板１４を介して抽斗底板４に対して可動式に保持されている。このため、側板１４の内部には概略のみを示した結合装置１６が設けられている。結合装置１６に加えてさらに、少なくとも１個の安定化装置１が一方で前板５に、他方で抽斗底板４に固定されており、この場合、可撓性の中間部材６は一定の可動性を保証すると同時に抽斗底板４に対する前板５の安定化を実現する。
【００２３】
図７ａ，７ｂは抽斗１７の側面図を示したものである。抽斗１７は抽斗底板４と、側板１４と、保持・変位装置１６を介して可動式に配置された前板５とを有している。一方で前板５に、他方で抽斗底板４に固定された安定化装置１はΔＨ分だけの前板５の垂直方向変位を可能にする。図７ｂは基本的に抽斗底板４に接した組付け状態にある安定化装置１を示したものである。
【００２４】
本発明は前述した実施例に制限されるものではなく、以下に述べる請求項の範囲に該当し得る技術的に同等なもののすべてを包括しもしくはそれらのすべてに及ぶものである。明細書の記述中で選択された位置の記載たとえば上方、下方、側方等は通例の組付け状態ないし直前に説明ならびに図示した図面に関係しており、組付け状態が変更される場合には適宜新たな位置に転用されなければならない。図示した安定化装置はたとえば家具本体に蝶番で連結されている家具ドアの安定化にも適している。
【図面の簡単な説明】
【００２５】
【図１ａ−１ｃ】本発明による安定化装置の例示的な１実施例の透視図である。
【図２】図１ａ〜１ｃに示した安定化装置を備える、互いに結合された２枚の家具部材の断面図である。
【図３】安定化装置のさらに別の実施例を組付け状態において下側から眺めた図である。
【図４】横方向に変位した位置における図３の安定化装置を示す図である。
【図５】抽斗底板を、該底板に対して垂直に直立する前板と共に下側から眺めた図ならびに位置決めされて取り付けられる安定化装置の詳細図である。
【図６】安定化装置の組み付けられた抽斗を下側から眺めた部分図である。
【図７ａ−７ｂ】抽斗と垂直方向に変位した前板との部分側面図である。
【符号の説明】
【００２６】
１    抽斗前板用の安定化装置
２    第一の組付け箇所
３    第二の組付け箇所
４    家具部材
５    家具部材
６    中間部材
８    ねじ
１２  薄板
１３  連結線
１５  孔
１６  結合装置
【図１ａ−１ｃ】
2006102511.tif 000003
【図２】
2006102511.tif 000004
【図３】
2006102511.tif 000005
【図４】
2006102511.tif 000006
【図５】
2006102511.tif 000007
【図６】
2006102511.tif 000008
【図７ａ−７ｂ】
2006102511.tif 000009